【事件の表示】
　特許第３１４５９５７号「廃棄物処理方法」の請求項１ないし３に係る特許に対する特許異議の申立てについて、次のとおり決定する。
【結　論】
　訂正を認める。
　特許第３１４５９５７号の請求項１ないし３に係る特許を維持する。
【理　由】
１．手続の経緯
　特許３１４５９５７号の請求項１乃至３に係る発明についての出願は、平成９年７月１４日に特許出願され、平成１３年１月５日にその発明について特許権の設定登録がなされ、その後、その特許について、異議申立人菊間靖郎より特許異議の申立てがなされた。そして、当審において取消理由通知がなされ、その指定期間内の平成１４年２月６日に訂正請求（第一回）がなされた。その後、当審において再度の取消理由通知がなされ、その指定期間内である平成１４年８月２１日に、先の訂正請求（第一回）が取り下げられ、新たに訂正請求（第二回）がなされたものである。
２．訂正の適否
（１）訂正の内容
ア．訂正事項ａ
  請求項１の「嫌気性生物にて分解可能な固形状の有機性廃棄物を含有する廃棄物を破砕した破砕物をメタン発酵処理する廃棄物処理方法において、メタン発酵処理持の前記破砕物中の全蒸発残留物が５％以上となる場合、鉄化合物、コバルト化合物およびニッケル化合物の少なくともいずれか一方を添加することを特徴とした廃棄物処理方法。」とある記載を、「嫌気性生物にて分解可能な固形状の有機性廃棄物を含有する廃棄物を破砕した破砕物をメタン発酵処理する廃棄物処理方法において、メタン発酵処理時の前記破砕物中の全蒸発残留物が７．５％以上で１８％以下となる場合、鉄化合物、コバルト化合物およびニッケル化合物の少なくともいずれか一方を添加することを特徴とした廃棄物処理方法。」と訂正する。
イ．訂正事項ｂ
　請求項２の「嫌気性生物にて分解可能な有機性汚水をメタン発酵処理する廃棄物処理方法において、前記有機性汚水に嫌気性生物にて分解可能な固形状の有機性廃棄物を含有する廃棄物を破砕攪拌混合して混合物を調製し、この混合物をメタン発酵処理する際にこの混合物の全蒸発残留物が５％以上となる場合、鉄化合物、コバルト化合物およびニッケル化合物の少なくともいずれか一方を添加することを特徴とした廃棄物処理方法。」とある記載を、「嫌気性生物にて分解可能な有機性汚水をメタン発酵処理する廃棄物処理方法において、前記有機性汚水に嫌気性生物にて分解可能な固形状の有機性廃棄物を含有する廃棄物を破砕攪拌混合して混合物を調製し、この混合物をメタン発酵処理する際にこの混合物の全蒸発残留物が７．５％以上で１８％以下となる場合、鉄化合物、コバルト化合物およびニッケル化合物の少なくともいずれか一方を添加することを特徴とした廃棄物処理方法。」と訂正する。
ウ．訂正事項ｃ
　明細書段落【０００９】を次のとおり訂正する。
「【０００９】【課題を解決するための手段】請求項１記載の廃棄物処理方法は、嫌気性生物にて分解可能な固形状の有機性廃棄物を含有する廃棄物を破砕した破砕物をメタン発酵処理する廃棄物処理方法において、メタン発酵処理時の前記破砕物中の全蒸発残留物が７．５％以上で１８％以下となる場合、鉄化合物、コバルト化合物およびニッケル化合物の少なくともいずれか一方を添加するものである。」
エ．訂正事項ｄ
　明細書段落【００１０】を次のとおり訂正する。
「【００１０】そして、固形状の有機性廃棄物を含有する廃棄物を破砕して得られた破砕物を嫌気性生物にてメタン発酵処理する際に、破砕物中の全蒸発残留物が７．５％以上で１８％以下となる場合に、鉄化合物、コバルト化合物およびニッケル化合物の少なくともいずれか一方を添加することにより、メタンガスの生成量を増大するために全蒸発残留物の濃度を高い条件で処理することによる破砕物中に含有される嫌気性微生物の栄養塩類の鉄分、コバルト分およびニッケル分の不活性効果の増大分を補給して、栄養塩バランスを確保してメタン発酵の処理効率を向上する。」
オ．訂正事項ｅ
　明細書段落【００１１】を次のとおり訂正する。
「【００１１】請求項２記載の廃棄物処理方法は、嫌気性微生物にて分解可能な有機性汚水をメタン発酵処理する廃棄物処理方法において、前記有機性汚水に嫌気性生物にて分解可能な固形状の有機性廃棄物を含有する廃棄物を破砕攪拌混合して混合物を調製し、この混合物をメタン発酵処理する際にこの混合物の全蒸発残留物が７．５％以上で１８％以下となる場合、鉄化合物、コバルト化合物およびニッケル化合物の少なくともいずれか一方を添加するものである。」
カ．訂正事項ｆ
　明細書段落【００１２】を次のとおり訂正する。
「【００１２】そして、有機性汚水を嫌気性生物にてメタン発酵処理する際に、固形状の有機性廃棄物を含有する廃棄物を破砕攪拌混合して混合物を調製し、この混合物の全蒸発残留物が７．５％以上で１８％以下となる場合、鉄化合物、コバルト化合物およびニッケル化合物の少なくともいずれか一方を添加することにより、メタンガスの生成量を増大するために全蒸発残留物の濃度が高い条件となることによる破砕物中に含有される嫌気性微生物の栄養塩類の鉄分、コバルト分およびニッケル分の不活性効果の増大分を補給して、栄養塩バランスを確保してメタン発酵の処理効率を向上する。」
キ．訂正事項ｇ
　明細書段落【００５７】を次のとおり訂正する。
「【００５７】【発明の効果】請求項１記載の廃棄物処理方法によれば、有機性廃棄物を含有する廃棄物を破砕した破砕物を嫌気性生物にてメタン発酵処理する際に、破砕物中の全蒸発残留物が７．５％以上で１８％以下となる場合に、鉄化合物、コバルト化合物およびニッケル化合物の少なくともいずれか一方を添加するため、メタンガスの生成量を増大して有効利用を図るために破砕物中に含有される嫌気性微生物の栄養塩類の鉄分、コバルト分およびニッケル分の不活性効果の増大分が補給されて、栄養塩バランスを確保でき、メタン発酵の処理効率を向上できる。」
ク．訂正事項ｈ
　明細書段落【００５８】を次のとおり訂正する。
「【００５８】請求項２記載の廃棄物処理方法によれば、有機性汚水を嫌気性生物にてメタン発酵処理する際に、固形状の有機性廃棄物を含有する廃棄物を破砕攪拌混合して混合物を調製し、この混合物の全蒸発残留物が７．５％以上で１８％以下となる場合、鉄化合物、コバルト化合物およびニッケル化合物の少なくともいずれか一方を添加するため、メタンガスの生成量を増大して有効利用を図るために全蒸発残留物の濃度が高い条件となることによる破砕物中に含有される嫌気性微生物の栄養塩類の鉄分、コバルト分およびニッケル分の不活性効果の増大分が補給されて、栄養塩バランスを確保でき、メタン発酵の処理効率を向上できる。」
（２）訂正の目的の適否、新規事項の有無及び拡張・変更の存否
  上記訂正事項ａ、ｂの実質的な内容は、全蒸発残留物の数値を限定して「５％以上」との記載を「７．５％以上で１８％以下」と訂正しようとするものであるから、特許請求の範囲の減縮に該当する。また、上記訂正事項ｃ〜ｈは、上記訂正事項ａ、ｂと整合を図るものであるから、明瞭でない記載の釈明に該当する。そして、上記訂正は特許明細書の段落【００２３】、【００２４】、【００３２】、【００３７】、【００４６】及び【００４７】の記載に基づくものであるから、いずれの訂正事項も願書に添付した明細書又は図面に記載した事項の範囲内においてなされたものであり、また、実質的に特許請求の範囲を拡張し又は変更するものではない。
（３）むすび
　したがって、上記訂正は、特許法第１２０条の４第２項及び同条第３項において準用する特許法第１２６条第２項及び第３項の規定に適合するので、当該訂正を認める。
３．特許異議の申立てについて
（１）本件発明
　上記訂正は、上述したとおり認容することができるから、本件訂正後の請求項１〜３に係る発明（以下、「本件発明１」〜「本件発明３」という。）は、上記訂正に係る訂正明細書の特許請求の範囲の請求項１〜３に記載された事項により特定される次のとおりのものである。
【請求項１】嫌気性生物にて分解可能な固形状の有機性廃棄物を含有する廃棄物を破砕した破砕物をメタン発酵処理する廃棄物処理方法において、メタン発酵処理時の前記破砕物中の全蒸発残留物が７．５％以上で１８％以下となる場合、鉄化合物、コバルト化合物およびニッケル化合物の少なくともいずれか一方を添加することを特徴とした廃棄物処理方法。
【請求項２】嫌気性生物にて分解可能な有機性汚水をメタン発酵処理する廃棄物処理方法において、前記有機性汚水に嫌気性生物にて分解可能な固形状の有機性廃棄物を含有する廃棄物を破砕攪拌混合して混合物を調製し、この混合物をメタン発酵処理する際にこの混合物の全蒸発残留物が７．５％以上で１８％以下となる場合、鉄化合物、コバルト化合物およびニッケル化合物の少なくともいずれか一方を添加することを特徴とした廃棄物処理方法。
【請求項３】廃棄物を固液分離した屎尿系汚水の固形分とともにメタン発酵処理することを特徴とした請求項１または２記載の廃棄物処理方法。
（２）申立ての理由の概要
　特許異議申立人は、本件請求項１〜３に係る発明についての特許に対して、証拠として甲第１号証（特開昭５６−１５２７９４号公報）、甲第２号証（特開平６−２４６２８８号公報）、甲第３号証（「用水と廃水」第３７巻第９号９月号（株）産業用水調査会、１９９５年９月１日発行、第１４〜１８頁）を提出し、本件請求項１〜３に係る発明は、甲第１号証〜甲第３号証に記載された発明に基づいて容易に発明することができたものであるから、特許法第２９条第２項の規定に該当する。
　したがって、本件請求項１〜３に係る発明の特許は特許法２９条第２項の規定に違反してなされたものであるから、本件請求項１〜３に係る発明についての特許を取り消すべき旨主張している。
（３）証拠の記載内容
　特許異議申立人が提示した甲第１号証乃至甲第３号証には、それぞれ次の事項が記載されている。
甲第１号証（特開昭５６−１５２７９４号公報）
（ａ）「メタン発酵の際の液化過程に鉄を、ガス化過程には含窒素化合物を存在させることを特徴とするメタン発酵法。」（特許請求の範囲）
（ｂ）「この発明はメタン発酵方法に関する。さらに詳しくは、家庭等から排出される厨芥、し尿あるいは畜産廃棄物等の有機性廃棄物を嫌気的に発酵させ、メタンガスを発生させる方法に関する。しかして本発明は、発酵効率を向上させ、液化、ガス化を促進させ、以ってメタンガスの発生量を増加させることを目的としてなされた。」（第１頁左欄９〜１５行）
（ｃ）「本発明において、前記添加物が液化ガス化を促進する理由については、鉄の場合は液化過程における溶存酸素を除去し、菌の補助的な栄養源となることによるものと思われ、またガス化過程において、含窒素化合物は補助的な栄養源となるためと思われる。」（第２頁右上欄１３〜１８行）
（ｄ）「発酵実験の材料として、キャベツを調理用のスピードカッタで６〜２０メッシュに粉砕し同様にアジ（魚）を粉砕し、両者を固形分比で１：１に混合し、これを試料とした。発酵用種菌は、すでに嫌気性発酵を行っている槽の汚泥（固形分量、５重量％）を使用した。・・・試料の濃度は、水道水で固形分濃度が３重量％となるように調製し、それを５００ｇずつ投入し、温度３５℃で発酵させる条件を基本条件とした。」（第２頁左下欄４〜１８行）
（ｅ）第２頁右下欄の表には、「第１槽への添加剤」の欄に「鉄粉、旋盤くず」が記載される。
甲第２号証（特開平６−２４６２８８号公報）
（ｆ）「【請求項１】有機性廃水を高温上向流式嫌気性汚泥床装置によりメタン発酵処理する方法において、植種汚泥として中温嫌気性処理装置から得られる中温グラニュール汚泥を用い、高温メタン発酵処理における温度域からスタートアップし、栄養塩としてＦｅ、Ｎｉ及びＣｏの塩類を所定量に制御しながら運転することを特徴とするとする高温上向流式嫌気性汚泥床装置の運転方法。」（特許請求の範囲）
（ｇ）「【産業上の利用分野】本発明は、食品廃水等の有機性廃水を高温域で生物的にメタン発酵処理する上向流式嫌気性汚泥床装置（以下、ＵＡＳＢ装置という）の運転方法に関する。」（段落【０００１】）
（ｈ）「前記高温域においてのスタートアップ及び継続運転では、Ｆｅ、Ｎｉ及びＣｏ等の栄養塩の濃度を一定量以上に制御することによって、高温メタン菌の増殖及びメタン生成活性の向上がより図られ、高負荷運転が可能となる。」（段落【００１７】）
（ｉ）「原水に栄養塩を添加しておのおのの成分を以下の濃度に制御した。」（第３頁左欄４０〜４１行）
甲第３号証（「用水と廃水」第１４〜１８頁）
（ｊ）「有機質資材を嫌気的に維持すればメタンが発生する。メタン発生量は有機質資材の種類によって異なる。下水余剰汚泥（固形物濃度、２〜３％）からは１０ｍ３／ｍ３・ｄ、生ゴミとふん尿混合物（固形物濃度約４％）からは１４．６ｍ３／ｋｇ・ｄ程度のメタンが生成する。生成したメタンは一般には燃料として用いられている。中国の農村部では古くから庭先で生ゴミとふん尿の混合物からメタンを生成し、それを炊飯や風呂の湯わかしに使ってきた。」（第１６頁右欄１７〜２４行）
（４）対比・判断
（本件発明１について）
　上記（ａ）乃至（ｅ）の記載を参酌すると、甲第１号証には、「厨芥、し尿あるいは畜産廃棄物等の粉砕された有機性廃棄物を嫌気的に発酵させ、メタンガスを発生させる方法において、水道水で固形分濃度が３重量％になるように調製され、メタン発酵の際の液化過程に鉄を、ガス化過程には含窒素化合物を存在させる処理方法」（以下、「甲第１発明」という。）が記載されていると云える。
　そこで、本件発明１と甲第１発明とを対比すると、甲第１発明の「有機性廃棄物」は、嫌気的に発酵されることから、嫌気性生物にて分解可能なものといえ、それが実施例の試料から固形状のものであることは明らかである。また、甲第１発明の「鉄」として実施例に「鉄粉」や「旋盤くず」が記載されることから、該「鉄」には「鉄化合物」が含まれるものとみれる。これらのことからみて、両者は、
「嫌気性生物にて分解可能な固形状の有機性廃棄物を含有する廃棄物を破砕した破砕物をメタン発酵処理する廃棄物処理方法において、鉄化合物を添加することを特徴とした廃棄物処理方法。」で一致するものの、次の点で相違していると云える。なお、甲第１発明の「固形分」は、権利者が平成１４年８月２１日付け特許異議意見書で述べているように本件発明１の「全蒸発残留物」を意味するものである。
相違点：本件発明１は「メタン発酵処理時の前記破砕物中の全蒸発残留物が７．５％以上で１８％以下となる場合、鉄化合物、コバルト化合物およびニッケル化合物の少なくとも一方を添加する」のに対し、甲第１発明は「水道水で固形分濃度が３重量％になるように調製され、メタン発酵の際の液化過程に鉄化合物を存在させる」ものである点。
　次に、この相違点について検討する。
　甲第２号証には、上記（ｆ）〜（ｉ）の記載から、メタン菌の栄養源としてＦｅ、Ｎｉ及びＣｏの塩類を添加することが記載されていると云えるが、本件発明１の全蒸発残留物の濃度との関係についての記載はなく、上記相違点ついては何ら記載も示唆もないと云える。また、甲第３号証にも、上記（ｊ）の記載から、生ゴミとふん尿混合物からメタン生成を行うとの記載はあるが、上記相違点について何ら記載も示唆もないと云える。したがって、本件発明１は、甲第１〜３号証に記載された発明に基づいて当業者が容易に発明をすることができたものとすることはできない。
　なお、この相違点について、特許異議申立人は、申立書（第８頁第３〜６行）の甲第１号証との対比において「ＴＳ濃度が３％のときには添加しても、ＴＳ濃度が５％或いはそれ以上の高濃度となったときに添加しないということはあり得ず、むしろ５％以上の場合には、ＴＳ濃度が３％の場合よりも多くの栄養源を添加しようと考えるのが一般的である。」旨主張している。しかしながら、本件発明１は「ＴＳ濃度が５％以上、特に７．５％以上となると、沈殿やスケール形成により、鉄、ニッケル、コバルトの不活性効果が増大し、嫌気性微生物が必要とする鉄、ニッケル、コバルトが不足して活性が低下し、上述した処理可能なＴＯＣ負荷やＣＯＤ負荷、ＢＯＤ負荷が同等または低くなる処理負荷の条件でもメタン発酵効率が大きく低減あるいは停止してしまう」（段落【００３２】）という課題の解決を図ろうとするものであり、そのために全蒸発残留物（ＴＳ）濃度に基づいて鉄、ニッケル、コバルトの添加を行おうとするものである。一方、甲第１発明は、ＴＳ濃度との関連において鉄、ニッケル、コバルトの添加を操作しようと意図するものでなく、そこには、本件発明１の上記技術的思想が何ら見出せないのであるから、この特許異議申立人の主張を認めることはできない。
（本件発明２について）
　本件発明２と前記甲第１発明とを比較すると、本件発明１と同様の点で相違するものであるから、上記本件発明１について検討したとおりの理由により、本件発明２は、甲第１〜３号証に記載された発明に基づいて当業者が容易に発明をすることができたものとすることはできない。
（本件発明３について）
　本件発明３は、本件発明１又は本件発明２を更に限定したものであるから、上記本件発明１及び本件発明２について述べた理由により、甲第１〜３号証に記載された発明に基づいて当業者が容易に発明をすることができたものとすることはできない。
４．むすび
　以上のとおりであるから、特許異議の申立の理由及び証拠によっては、本件訂正後の請求項１〜３に係る発明についての特許を取り消すことができない。
　また、他に本件訂正後の請求項１〜３に係る発明の特許を取り消すべき理由を発見しない。
  よって、結論のとおり決定する。
【異議決定日】
平成１４年９月１３日（２００２．９．１３）
【訂正の要旨】
訂正の要旨
本件訂正の要旨は、本件特許第３１４５９５７号発明の明細書を平成１４年８月２１日付け訂正請求書に添付された全文訂正明細書のとおり、すなわち、特許請求の範囲の減縮、明瞭でない記載の釈明を目的として、次の訂正事項ａ〜ｈのとおり訂正するものである。
訂正事項ａ：請求項１の「嫌気性生物にて分解可能な固形状の有機性廃棄物を含有する廃棄物を破砕した破砕物をメタン発酵処理する廃棄物処理方法において、メタン発酵処理持の前記破砕物中の全蒸発残留物が５％以上となる場合、鉄化合物、コバルト化合物およびニッケル化合物の少なくともいずれか一方を添加することを特徴とした廃棄物処理方法。」とある記載を、「嫌気性生物にて分解可能な固形状の有機性廃棄物を含有する廃棄物を破砕した破砕物をメタン発酵処理する廃棄物処理方法において、メタン発酵処理時の前記破砕物中の全蒸発残留物が７．５％以上で１８％以下となる場合、鉄化合物、コバルト化合物およびニッケル化合物の少なくともいずれか一方を添加することを特徴とした廃棄物処理方法。」と訂正する。
訂正事項ｂ：請求項２の「嫌気性生物にて分解可能な有機性汚水をメタン発酵処理する廃棄物処理方法において、前記有機性汚水に嫌気性生物にて分解可能な固形状の有機性廃棄物を含有する廃棄物を破砕攪拌混合して混合物を調製し、この混合物をメタン発酵処理する際にこの混合物の全蒸発残留物が５％以上となる場合、鉄化合物、コバルト化合物およびニッケル化合物の少なくともいずれか一方を添加することを特徴とした廃棄物処理方法。」とある記載を、「嫌気性生物にて分解可能な有機性汚水をメタン発酵処理する廃棄物処理方法において、前記有機性汚水に嫌気性生物にて分解可能な固形状の有機性廃棄物を含有する廃棄物を破砕攪拌混合して混合物を調製し、この混合物をメタン発酵処理する際にこの混合物の全蒸発残留物が７．５％以上で１８％以下となる場合、鉄化合物、コバルト化合物およびニッケル化合物の少なくともいずれか一方を添加することを特徴とした廃棄物処理方法。」と訂正する。
訂正事項ｃ：明細書段落【０００９】を「【０００９】【課題を解決するための手段】請求項１記載の廃棄物処理方法は、嫌気性生物にて分解可能な固形状の有機性廃棄物を含有する廃棄物を破砕した破砕物をメタン発酵処理する廃棄物処理方法において、メタン発酵処理時の前記破砕物中の全蒸発残留物が７．５％以上で１８％以下となる場合、鉄化合物、コバルト化合物およびニッケル化合物の少なくともいずれか一方を添加するものである。」と訂正する。
訂正事項ｄ：明細書段落【００１０】を「【００１０】そして、固形状の有機性廃棄物を含有する廃棄物を破砕して得られた破砕物を嫌気性生物にてメタン発酵処理する際に、破砕物中の全蒸発残留物が７．５％以上で１８％以下となる場合に、鉄化合物、コバルト化合物およびニッケル化合物の少なくともいずれか一方を添加することにより、メタンガスの生成量を増大するために全蒸発残留物の濃度を高い条件で処理することによる破砕物中に含有される嫌気性微生物の栄養塩類の鉄分、コバルト分およびニッケル分の不活性効果の増大分を補給して、栄養塩バランスを確保してメタン発酵の処理効率を向上する。」と訂正する。
訂正事項ｅ：明細書段落【００１１】を「【００１１】請求項２記載の廃棄物処理方法は、嫌気性微生物にて分解可能な有機性汚水をメタン発酵処理する廃棄物処理方法において、前記有機性汚水に嫌気性生物にて分解可能な固形状の有機性廃棄物を含有する廃棄物を破砕攪拌混合して混合物を調製し、この混合物をメタン発酵処理する際にこの混合物の全蒸発残留物が７．５％以上で１８％以下となる場合、鉄化合物、コバルト化合物およびニッケル化合物の少なくともいずれか一方を添加するものである。」と訂正する。
訂正事項ｆ：明細書段落【００１２】を「【００１２】そして、有機性汚水を嫌気性生物にてメタン発酵処理する際に、固形状の有機性廃棄物を含有する廃棄物を破砕攪拌混合して混合物を調製し、この混合物の全蒸発残留物が７．５％以上で１８％以下となる場合、鉄化合物、コバルト化合物およびニッケル化合物の少なくともいずれか一方を添加することにより、メタンガスの生成量を増大するために全蒸発残留物の濃度が高い条件となることによる破砕物中に含有される嫌気性微生物の栄養塩類の鉄分、コバルト分およびニッケル分の不活性効果の増大分を補給して、栄養塩バランスを確保してメタン発酵の処理効率を向上する。」と訂正する。
訂正事項ｇ：明細書段落【００５７】を「【００５７】【発明の効果】請求項１記載の廃棄物処理方法によれば、有機性廃棄物を含有する廃棄物を破砕した破砕物を嫌気性生物にてメタン発酵処理する際に、破砕物中の全蒸発残留物が７．５％以上で１８％以下となる場合に、鉄化合物、コバルト化合物およびニッケル化合物の少なくともいずれか一方を添加するため、メタンガスの生成量を増大して有効利用を図るために破砕物中に含有される嫌気性微生物の栄養塩類の鉄分、コバルト分およびニッケル分の不活性効果の増大分が補給されて、栄養塩バランスを確保でき、メタン発酵の処理効率を向上できる。」と訂正する。
訂正事項ｈ：明細書段落【００５８】を「【００５８】請求項２記載の廃棄物処理方法によれば、有機性汚水を嫌気性生物にてメタン発酵処理する際に、固形状の有機性廃棄物を含有する廃棄物を破砕攪拌混合して混合物を調製し、この混合物の全蒸発残留物が７．５％以上で１８％以下となる場合、鉄化合物、コバルト化合物およびニッケル化合物の少なくともいずれか一方を添加するため、メタンガスの生成量を増大して有効利用を図るために全蒸発残留物の濃度が高い条件となることによる破砕物中に含有される嫌気性微生物の栄養塩類の鉄分、コバルト分およびニッケル分の不活性効果の増大分が補給されて、栄養塩バランスを確保でき、メタン発酵の処理効率を向上できる。」と訂正する。
（５４）【発明の名称】
廃棄物処理方法
（５７）【特許請求の範囲】
　【請求項１】　嫌気性生物にて分解可能な固形状の有機性廃棄物を含有する廃棄物を破砕した破砕物をメタン発酵処理する廃棄物処理方法において、
　メタン発酵処理時の前記破砕物中の全蒸発残留物が
７．５％以上で１８％以下
　ことを特徴とした廃棄物処理方法。
　【請求項２】　嫌気性微生物にて分解可能な有機性汚水をメタン発酵処理する廃棄物処理方法において、
　前記有機性汚水に嫌気性生物にて分解可能な固形状の有機性廃棄物を含有する廃棄物を破砕攪拌混合して混合物を調製し、
　この混合物をメタン発酵処理する際にこの混合物の全蒸発残留物が
７．５％以上で１８％以下
　ことを特徴とした廃棄物処理方法。
　【請求項３】　廃棄物を固液分離した屎尿系汚水の固形分とともにメタン発酵処理する
　ことを特徴とした請求項１または２記載の廃棄物処理方法。
【発明の詳細な説明】
　【０００１】
　【発明の属する技術分野】
　本発明は、生物分解可能な固形状の有機性廃棄物をメタン発酵処理する廃棄物処理方法に関する。
　【０００２】
　【従来の技術】
　従来、例えば有機性汚水をメタン生成菌にてメタン発酵処理し、得られるメタンガスを利用して効率よく処理する廃棄物処理方法として、特開平３−１５４６９２号公報および特開平３−１６５８９５号公報に記載の汚水処理方法が知られている。
　【０００３】
　そして、特開平３−１５４６９２号公報に記載の汚水処理方法では、上述したメタン生成菌にて有機性汚水をメタン発酵処理する場合、ＴＯＣ（Ｔｏｔａｌ　Ｏｒｇａｎｉｃ　Ｃａｒｂｏｎ：全有機性炭素）負荷が４ｋｇ／ｍ３・日から５ｋｇ／ｍ３・日に上げることにより、過負荷となってＴＯＣ除去率が急激に低下するため、過負荷となって処理効率が低下した際に、メタン生成菌の代謝に必要なニッケル、コバルト、窒素、リンを適宜添加して処理効率の回復を図っている。
　【０００４】
　また、特開平３−１６５８９５号公報に記載の汚水処理方法では、メタン生成菌にて有機性廃棄物をメタン発酵処理する際に、ＢＯＤ（Ｂｉｏｃｈｅｍｉｃａｌ　Ｏｘｙｇｅｎ　Ｄｅｍａｎｄ：生物化学的酸素要求量）負荷が３ｋｇ／ｍ３・日より高くなるとＢＯＤ除去率が低下するため、メタン生成菌の栄養素となるニッケル、鉄、コバルトを有機性廃棄物のＢＯＤ濃度に対して所定量以上となるように適宜添加して、メタン生成菌の増殖活性を向上させて、ＢＯＤ負荷が高くなってもＢＯＤ除去率の低下を防止している。
　【０００５】
　【発明が解決しようとする課題】
　しかしながら、上記特開平３−１５４６９２号公報および特開平３−１６５８９５号公報に記載の汚水処理方法では、処理効率を向上させるためにＴＯＣ負荷やＢＯＤ負荷を増大させて処理しているが、メタン生成菌にてメタン発酵処理する際に生じるメタンガスの生成量は多くない。そして、ＴＯＣ負荷やＢＯＤ負荷をさらに増大させてメタンガスの生成量を増大させると、メタン発酵処理するメタン発酵消化槽を加温する熱エネルギも比例して増大することとなる。このため、ＴＯＣ負荷やＢＯＤ負荷を増大させても、得られるメタンガスを他のエネルギ源として有効利用するエネルギ回収ができない。
　【０００６】
　そこで、メタンガスの生成量を増大させる方法として、例えば早急な処理対策が望まれている各家庭や事業所から収集される生ゴミや厨芥などの嫌気性微生物にて分解処理可能な固形状の有機性廃棄物を含有する廃棄物を、生物分解性を向上すべく破砕して水を混合したり有機性汚水を混合して破砕物を調製し、この破砕物をメタン発酵処理することが考えられる。また、この固形状の有機性廃棄物を含有する廃棄物中には、メタン生成菌の栄養素となるニッケル、鉄、コバルトが含まれていることが知られている。
　【０００７】
　しかしながら、メタンガスの生成量を増大させてエネルギ回収を図るべく、破砕物の濃度を高くすると、ＴＯＣ負荷やＣＯＤ負荷、ＢＯＤ負荷が同等または低くなるメタン生成菌の活性を低下させない処理負荷の条件でも、有機酸の蓄積が生じてメタン発酵処理が低下もしくは停止する場合がある。
　【０００８】
　本発明は、上記問題点に鑑みて、固形状の有機性廃棄物を含有する廃棄物を効率よく簡単に処理でき、生成するメタンガスの有効利用が図れる廃棄物処理方法を提供することを目的とする。
　【０００９】
　【課題を解決するための手段】
　請求項１記載の廃棄物処理方法は、嫌気性生物にて分解可能な固形状の有機性廃棄物を含有する廃棄物を破砕した破砕物をメタン発酵処理する廃棄物処理方法において、メタン発酵処理時の前記破砕物中の全蒸発残留物が
７．５％以上で１８％以下
　【００１０】
　そして、固形状の有機性廃棄物を含有する廃棄物を破砕して得られた破砕物を嫌気性生物にてメタン発酵処理する際に、破砕物中の全蒸発残留物が
７．５％以上で１８％以下
　【００１１】
　請求項２記載の廃棄物処理方法は、嫌気性微生物にて分解可能な有機性汚水をメタン発酵処理する廃棄物処理方法において、前記有機性汚水に嫌気性生物にて分解可能な固形状の有機性廃棄物を含有する廃棄物を破砕攪拌混合して混合物を調製し、この混合物をメタン発酵処理する際にこの混合物の全蒸発残留物が
７．５％以上で１８％以下
　【００１２】
　そして、有機性汚水を嫌気性生物にてメタン発酵処理する際に、固形状の有機性廃棄物を含有する廃棄物を破砕攪拌混合して混合物を調製し、この混合物の全蒸発残留物が
７．５％以上で１８％以下
　【００１３】
　請求項３記載の廃棄物処理方法は、請求項１または２記載の廃棄物処理方法において、廃棄物を固液分離した屎尿系汚水の固形分とともにメタン発酵処理するものである。
　【００１４】
　そして、廃棄物をメタン発酵処理するに際して固液分離した屎尿系汚水の固形分を混合するため、屎尿系汚水の固形分から窒素分およびリン分が補給され、嫌気性微生物の活性が向上し、メタン発酵の効率が向上する。
　【００１５】
　【発明の実施の形態】
　以下、本発明の廃棄物処理方法の実施の一形態の構成を図１を参照して説明する。
　【００１６】
　図１において、１は前処理手段で、この前処理手段１は、生ゴミや厨芥、農水産廃棄物などの事業系ゴミなどの主に固形状の有機性廃棄物を含有する廃棄物を破袋および破砕して合成樹脂製の袋やプラスチックなどを除去する図示しない解破砕装置と、この解破砕装置にて解破砕された破砕物を洗浄しつつ磁気選別して金属を除去する図示しない金属除去手段とを備えている。
　【００１７】
　また、前処理手段１には、調整手段２が接続されている。この調整手段２には、解破砕された有機性廃棄物に塩化第一鉄などの鉄化合物、塩化ニッケルなどのニッケル化合物、塩化コバルトなどのコバルト化合物の少なくともいずれか一方を添加する栄養塩素類添加手段３が接続されている。そして、調整手段２は、解破砕された有機性廃棄物に鉄化合物、ニッケル化合物およびコバルト化合物の少なくともいずれか一方と水分とを適宜添加し、例えば約５５℃〜６０℃に加温して攪拌混合し塊状物も混在するようなスラリ状、すなわち塊状物や液体が混在する破砕物である混合物としての調質物を調製する。なお、水分の添加および加温に際してはスチームを用いるとよい。スチームを用いることにより、水を添加して別途加熱手段にて加熱する必要がなく、効率よく加温・攪拌混合が行える。
　【００１８】
　さらに、調整手段２には、調質物をメタン発酵処理するメタン発酵手段を構成するメタン発酵消化槽４が接続されている。このメタン発酵消化槽４は、固形状や塊状の有機性廃棄物などを含有する濃度が濃いスラリ状の調質物でも処理可能な生物浮遊型で、加温、例えば５５℃〜６０℃で適宜攪拌してメタン生成菌などの嫌気性微生物にて有機性廃棄物中の有機性物質をメタン発酵処理する。
　【００１９】
　そして、このメタン発酵消化槽４には、発生するメタンガスを回収する図示しないメタンガス回収手段が設けられ、このメタンガス回収手段には、回収したメタンガスを貯溜するガスタンク５が接続されている。なお、この回収したメタンガスの一部は、発電などに利用し、有機性廃棄物を処理する際の運転エネルギとして利用する。
　【００２０】
　また、メタン発酵消化槽４には、メタン発酵処理にて得られた発酵処理物を、スクリーンや膜などによる濾過分離や沈降分離処理、遠心分離処理などにて脱水ケーキと分離液とに固液分離する固液分離手段６が接続されている。さらに、固液分離手段６には、固液分離された分離液を調整手段２に返送する返送管７を備えた返送手段が接続されている。なお、固液分離された脱水ケーキは、固形燃料や肥料、建材などに利用される。
　【００２１】
　次に、上記実施の一形態の動作について説明する。
　【００２２】
　まず、生ゴミや農水産廃棄物などの嫌気性微生物にて生物分解可能な固形状の有機性廃棄物を含有する廃棄物を前処理手段１の解破砕装置に投入して、破袋および破砕して合成樹脂製の袋や合成樹脂フィルム、プラスチック、ガラスなどの微生物にて分解処理できない夾雑物を除去する。そして、この解破砕された破砕物を金属除去装置にて洗浄しつつ磁気選別などにより夾雑物である金属を除去する。
　【００２３】
　この後、磁気選別後の破砕された破砕物を調整手段２に投入する。そして、調整手段２にて、例えばスチームを用いて約５５℃に加温しつつ攪拌混合し、攪拌混合が可能な全蒸発残留物（Ｔｏｔａｌ　Ｓｏｌｉｄｓ：ＴＳ）濃度が２０％以下となる塊状物も混入するようなスラリ状の調質物を調製する。なお、ＴＳ濃度が２０％より高くなると、メタン発酵処理の際の攪拌混合が不十分となり効率よくメタン発酵処理できなくなるため、ＴＳ濃度を２０％以下、好ましくは１８％以下にする。また、塊状物などが少ないもしくはほとんどないような状態のスラリ状とすることにより、微生物によるメタン発酵処理がより効率よく進行する。
　【００２４】
　ここで、調質物のＴＳ濃度を測定し、ＴＳ濃度が５％以上、好ましくは７．５％以上となる場合には、栄養塩類添加手段３にて、栄養塩類である鉄化合物、ニッケル化合物およびコバルト化合物の少なくともいずれか一方を添加する。これら栄養塩類は、調質物中に鉄として１０ｍｇ／リットル以上、好ましくは１０〜３００ｍｇ／リットル、ニッケルとして１ｍｇ／リットル以上、好ましくは１〜３０ｍｇ／リットル、コバルトとして１ｍｇ／リットル以上、好ましくは１〜３０ｍｇ／リットルを添加する。
　【００２５】
　そして、ＴＳ濃度が５％より低い場合には、有機性廃棄物中に微量に含まれる鉄、ニッケル、コバルトは凝集や沈殿、スケールの生成などにより不活性効果が低くなり、嫌気性微生物の活性に必要な十分な栄養塩類量が得られるので、栄養塩類を別途添加する必要がない。
　【００２６】
　また、鉄添加量が１０ｍｇ／リットルより少なくなると、後段でのメタン発酵処理の改善が認められず、３００ｍｇ／リットルより多くなっても鉄添加による効果の差異が認められずコストが増大するため、鉄添加量が１０ｍｇ／リットル以上、好ましくは１０〜３００ｍｇ／リットルとなるように鉄化合物を添加する。また、同様に、ニッケル添加量が１ｍｇ／リットルより少なくなると、後段でのメタン発酵処理の改善が認められず、３０ｍｇ／リットルより多くなってもニッケル添加による効果の差異が認められずコストが増大するため、ニッケル添加量が１ｍｇ／リットル以上、好ましくは１〜３０ｍｇ／リットルとなるようにニッケル化合物を添加する。さらに、同様に、コバルト添加量が１ｍｇ／リットルより少なくなると、後段でのメタン発酵処理の改善が認められず、３０ｍｇ／リットルより多くなってもコバルト添加による効果の差異が認められずコストが増大するため、コバルト添加量が１ｍｇ／リットル以上、好ましくは１〜３０ｍｇ／リットルとなるようにコバルト化合物を添加する。
　【００２７】
　そして、栄養塩類が適宜添加された調質物をメタン発酵消化槽４に流入させ、例えば５５℃で適宜攪拌しつつ８日滞留させて、メタン生成菌などにて有機性物質をメタン発酵処理する。なお、メタン発酵処理により発生するメタンガスは、図示しないメタンガス回収手段にて回収してガスタンクに貯溜し、発電などにて有機性廃棄物の処理の際の運転エネルギやその他の汚水処理、冷暖房などに利用する。
　【００２８】
　次に、メタン発酵処理した発酵処理物を固液分離手段にて脱水ケーキと分離水とに固液分離する。そして、分離液は、返送手段の返送管７を介して調整手段２に返送し、脱水ケーキは固形燃料や建材、肥料などに利用したり、焼却処分する。
　【００２９】
　ここで、鉄、ニッケル、コバルトは、メタン生成菌などの微生物の補酵素成分を構成する物質で、微生物の活性向上に欠かせない栄養元素である。なお、鉄は約１０００ｍｇ／リットル、ニッケルは約８０〜２４０ｍｇ／リットル、および、コバルトは約５０〜１５０ｍｇ／リットル以上となると、逆に微生物の活性阻害を生じ始める。
　【００３０】
　また、メタン発酵消化槽４内では、有機性汚水とは異なり、固形状の有機性廃棄物を含有する濃度が濃いスラリ状の混合物を処理するので、凝集・沈殿、スケール微粒子の形成や共沈吸着効果などの物理化学的反応が生じている。
　【００３１】
　このため、投入ＴＳ濃度であるメタン発酵消化槽４へ投入される調質物のＴＳ濃度が５％より低い場合には、メタン発酵消化槽４における凝集・沈殿、スケール形成物質の濃度が比較的低く、凝集・沈殿、スケール形成などの物理化学的反応による微量栄養塩類である鉄、ニッケル、コバルトの不活性効果も相対的に低くなり、メタン生成菌などの嫌気性微生物は、調質物中の活性のある鉄、ニッケル、コバルトを栄養源として吸収して活性が増大し、効率よく有機性物質を分解処理する。なお、固形状の有機性廃棄物を処理可能な生物浮遊型のメタン発酵処理方法では、ＢＯＤ濃度が３〜５万ｐｐｍで滞留時間が８日程度が処理のほぼ上限の負荷（ＢＯＤ負荷で３〜５ｋｇ／ｍ３・日）、すなわち嫌気性微生物が調質物中の活性のある鉄、ニッケル、コバルトを栄養源として吸収して有機性物質を分解処理できる上限の処理条件である。
　【００３２】
　一方、ＴＳ濃度が５％以上、特に７．５％以上となると、沈殿やスケール形成により、鉄、ニッケル、コバルトの不活性効果が増大し、嫌気性微生物が必要とする鉄、ニッケル、コバルトが不足して活性が低下し、上述した処理可能なＴＯＣ負荷やＣＯＤ負荷、ＢＯＤ負荷が同等または低くなる処理負荷の条件でもメタン発酵効率が大きく低減あるいは停止してしまう。
　【００３３】
　したがって、上述したように、上記実施の形態では、生ゴミや厨芥、農水産廃棄物などの固形状の有機性廃棄物を含有する廃棄物をメタン発酵処理する際に、メタン発酵消化槽４に投入する際のＴＳ濃度が５％以上となる場合に、鉄化合物、ニッケル化合物およびコバルト化合物の少なくともいずれか一方を鉄濃度が１０〜３００ｍｇ／リットル、ニッケル濃度が１〜３０ｍｇ／リットル、コバルト濃度が１〜３０ｍｇ／リットルとなるように添加する。
　【００３４】
　このため、単にＴＯＣ負荷やＣＯＤ負荷、ＢＯＤ負荷が所定値以上となる場合に栄養塩類を添加する場合では、濃度が高いスラリ状の混合物を処理する際に滞留時間を長くするなどして処理負荷を低く設定して処理したとしても、栄養塩類のバランスが壊れてメタン発酵処理が低減する場合も生じるので、処理の際に、負荷を計測するとともに処理効率を観測し、処理負荷が低くてもメタン発酵処理が低減するなどの処理状況に応じてニッケルやコバルトなどを適宜添加しなければならず、処理作業も煩雑で、装置が複雑大型化する問題があるが、上記実施の形態では濃度に対応して栄養塩類を添加して栄養塩類のバランスが確保することから、メタン生成菌などの嫌気微生物の活性に必要な栄養源が補われ、高効率でメタン発酵処理を進行できる。
　【００３５】
　また、あらかじめ嫌気性微生物にて処理できないプラスチックやガラス、その他の夾雑物を除去するので、メタン発酵処理の際の攪拌阻害や液体の流動阻害などを防止でき攪拌混合が低負荷ででき、また、カドミウムや水銀などの重金属類の混入も低減でき、略均一な混合が容易で効率よく処理できるとともに、夾雑物による栄養塩類の不活性効果の増大も抑制でき、メタン発酵処理効率を向上できる。
　【００３６】
　そして、メタン発酵処理する際に、ＣＯＤやＢＯＤの測定より容易なＴＳ濃度を測定するのみで、メタン発酵処理中は確認程度に処理状況を観察するのみでよく、また、ＴＳ濃度はＣＯＤやＢＯＤの測定方法では測定が困難な固形状の有機性廃棄物を含有する濃度が濃いスラリ状の混合物でも容易に測定でき、メタン発酵処理が容易にできる。
　【００３７】
　なお、上記実施の形態において、固形状の有機性廃棄物を含有する廃棄物をスチームにてスラリ状の調質物に調製してメタン発酵させたが、調整手段２にて調製する際に、例えば図２に示すように、屎尿系汚水の処理の際に生じる除渣した屎尿や余剰汚泥などの固形分の汚泥を混合したり、水分の代わりに農水産物加工工場からの排液や飲料工場排液などの有機性汚水を混合して調製してもよい。
　【００３８】
　そして、生ゴミや厨芥、農水産廃棄物などの有機性廃棄物は、メタン発酵にて容易に分解される炭水化物が主成分であるが、炭素／窒素比が３０とメタン発酵処理の最適比である２０に比して窒素分が少ない。一方、屎尿系汚水から分離された汚泥は、炭素／窒素比が５と窒素が多く、リン化合物も多い。このため、有機性廃棄物に汚泥を混合することにより、良好な炭素／窒素比が得られ、栄養源となるリンも補給でき、後段でのメタン発酵処理の効率をさらに向上できるとともに、屎尿系汚水の処理の際に生じる汚泥をも合わせて処理でき、処理効率の向上および処理施設の小型化が図れ、処理コストも低減できる。また、有機性廃水を用いる場合には、有機性廃棄物と合わせて処理でき、別途有機性廃水を処理する工程が不要となり、処理効率の向上および処理施設の小型化が図れ、処理コストも低減できる。
　【００３９】
　なお、屎尿系汚水の処理の際に生じる固形分や有機性汚水の混合は、例えばメタン発酵消化槽４に調質物とは別途添加してメタン発酵消化槽４内で混合するようにしてもよい。
　【００４０】
　また、調整手段２に栄養塩類添加手段３を設け、鉄、ニッケル、コバルトをメタン発酵処理前にあらかじめ添加して説明したが、メタン発酵消化槽４に直接鉄、ニッケル、コバルトを添加したり、調整手段２からメタン発酵消化槽４に調質物を搬送する搬送管の途中で添加するなどしてもよい。なお、メタン発酵消化槽４が、常時攪拌しない構成や攪拌動力が少ない構成などの攪拌混合を十分に行えない構成の場合には、調整手段２にてあらかじめ添加したり、調整手段２からメタン発酵消化槽４へ調質物を搬送する搬送管に添加するなどにより、略均一混合させておくことが好ましい。また、調整手段２は、一般にメタン発酵消化槽４にて処理する際の温度程度まで加温され、有機性廃棄物の加水分解や酸発酵を促進し、ｐＨ酸性条件となって微量元素が安定な状態で存在するとともに、硫化水素などの発生もなく、硫化物として沈殿して微生物にて利用できなくなることも防止でき、メタン発酵消化槽と異なり密閉性を維持する必要もないので、栄養塩類の添加が容易で、構造も簡単であるため好ましい。
　【００４１】
　さらに、後段でのメタン発酵処理の際の温度変化を抑制するため、調整手段２にて加温しつつ調製して説明したが、加温せずに単に混合するなどしてもよい。
　【００４２】
　【実施例】
　まず、野菜、果物、肉、魚、米飯などを混合粉砕し、含水率が約８０％（ＴＳ濃度で約２０％）の合成ゴミを作製する。そして、水を適宜添加してＴＳ濃度の異なる各種調質物を調製する。なお、水を添加して略２倍に希釈すると、ＴＳ濃度が約１０％の調質物となり、水で１．３倍に希釈するとＴＳ濃度が約１５％の調質物となる。そして、これら調質物をＴＳ濃度およびメタン発酵消化槽４の滞留時間を可変して、メタン発酵処理における中温域である３６℃におけるメタン発酵処理状況を観察した。その結果を図３ないし図７に示す。なお、鉄、コバルト、ニッケルの栄養塩類は、メタン発酵処理が低減した運転開始から１５０日経過後から、塩化第一鉄を約２００ｍｇ／リットル（鉄として８８ｍｇ／リットル）、塩化コバルトを約４０ｍｇ／リットル（コバルトとして１８ｍｇ／リットル）連続的に添加した。
　【００４３】
　ここで、図３（ａ）はメタン発酵処理する際のＴＳ濃度を可変させた状況を示すグラフで、図３（ｂ）はＴＳ濃度の可変および滞留時間の可変による化学的酸素要求量（ＣＯＤＣｒ）の変化の状況を示すグラフである。
　【００４４】
　なお、ここで、生ゴミの主な組成はＣ４６Ｈ７３Ｏ３１Ｎであることが知られているが、合成ゴミは以下に示す性状となった。
　【００４５】
　　ＣＯＤＣｒ／ＴＳ＝１．５５
　　ＢＯＤ／ＴＳ＝０．８３
　　ＶＳ（Ｖｏｌａｔｉｌｅ　Ｓｏｌｉｄ：揮発性物質）／ＴＳ＝０．９０８
　　ＴＯＣ／ＴＳ＝０．４５
　そして、図３（ａ）に示すＴＳ濃度で、滞留時間を可変すなわち滞留時間を徐々に短くなるように処理すると、図３（ａ）に示すようにＣＯＤＣｒ負荷が増大する状態となる。なお、上記性状のＴＳに対する比率から、ＢＯＤ負荷やＶＳ負荷、ＴＯＣ負荷も同様に増大することとなる。
　【００４６】
　これら図３（ａ）および（ｂ）に示す条件で上記合成ゴミをメタン発酵処理すると、ＴＳ濃度が７．５％から、図３（ｃ）に示すようにメタンガス発生量があきらかに低下し始めるとともに、図３（ｄ）に示すようにメタン発酵消化槽４内のｐＨの酸性が強くなり、図３（ｅ）に示すようにＣＯＤ換算による揮発性脂肪酸（Ｖｏｌａｔｉｌｅ　Ｆａｔｔｙ　Ａｃｉｄ：ＶＦＡ）が増大し始め、ＴＳ濃度が１０％となると、これら図３（ｃ）に示すメタンガス発生量、図３（ｄ）に示すｐＨ、および、図３（ｅ）に示す揮発性脂肪酸量が急激に変化し、メタン発酵処理が停止した。そこで、１５０日を経過した時点で、上記の条件で栄養塩類を添加した。
　【００４７】
　この栄養塩類の添加により、メタン発酵処理が回復し、ＴＳ濃度が１０％より高い１５％やメタン発酵消化槽４にて攪拌混合可能限界である１８％まで増大させても十分にメタン発酵処理できることが分かる。
　【００４８】
　次に、ＣＯＤＣｒ負荷が一定で容積負荷を９．５ｇ／リットル・日（ＴＯＣ負荷換算で２．８ｇ／リットル・日）となるように上記合成ゴミのＴＳ濃度を可変させて、栄養塩類を上記の条件で添加する実施例１と添加しない比較例とで、３６℃の中温域でメタン発酵処理した。その結果を図４に示す。
　【００４９】
　そして、ＴＳ濃度が５％以上となると、栄養塩類を添加しない比較例では、図４（ａ）に示すようにメタン発酵消化槽４内のｐＨの酸性が強くなり始めるとともに、図４（ｂ）に示すように残存するＶＦＡ濃度も増大し始め、図４（ｃ）に示すように、メタンガスの生成速度も低下し、ＴＳ濃度が１０％となると、メタン発酵が不能となった。一方、栄養塩類を添加する実施例１の場合には、図４に示すように、ＴＳ濃度を増大させてもメタン発酵処理効率はほとんど低下せず、高効率でメタン発酵処理できることが分かる。
　【００５０】
　さらに、図４に示す実施例１と同様の方法で、容積負荷を７．５ｇ／リットル・日（ＴＯＣ負荷換算で２．４ｇ／リットル・日）となるようにＴＳ濃度を可変させ、メタン発酵処理における高温域である約５５℃でメタン発酵処理した。その結果を図５に示す。
　【００５１】
　この図５に示す実施例２も、図４に示す実施例１と同様に、栄養塩類を添加すると、ＴＳ濃度が５％以上での嫌気性微生物の活性の低下を防止でき、高効率でメタン処理できることが分かる。
　【００５２】
　次に、図５に示す実施例２の合成ごみに屎尿系汚水の処理にて得られた脱水汚泥を合成ゴミ９に対して脱水汚泥が１となる比率で混合した混合物を同様に高温域でメタン発酵処理した。その結果を図６に示す。
　【００５３】
　この図６に示す実施例３も、図４に示す実施例１および図５に示す実施例２と同様に、栄養塩類を添加すると、ＴＳ濃度が５％以上での嫌気性微生物の活性の低下を防止でき、高効率でメタン処理できることが分かる。
　【００５４】
　次に、添加する栄養塩類の種類によるメタン発酵処理効率を比較した。実験方法としては、比較例１および比較例２において、ＴＳ濃度が１０％でメタン発酵が停止した際の汚泥を取り出してバイアル瓶に移し、各種栄養塩類を添加し、この栄養塩類の添加時点からのメタン発酵処理状態を観察した。また、処理温度としては、中温域である約３６℃および高温域である約５５℃の条件で行った。なお、栄養塩類は、塩化第一鉄を１００ｍｇ／リットル（鉄濃度として４４ｍｇ／リットル）、塩化ニッケルを１０ｍｇ／リットル（ニッケル濃度として４．５ｍｇ／リットル）、塩化コバルトを１０ｍｇ／リットル（コバルト濃度として４．５ｍｇ／リットル）の条件で添加した。その結果を図７よび図８に示す。
　【００５５】
　この図７に示す結果から、栄養塩類を添加しない比較例では、運転日数が２０日ぐらいからメタン発酵処理がほとんど進行しなくなるが、コバルトのみでもメタン発酵処理が進行しなくなることはなく、特に、処理温度が高い条件では、図８に示すように、鉄のみやニッケルのみでも添加しない場合よりメタン発酵処理の効率が高くなることがわかる。また、鉄、ニッケル、コバルトを組み合わせにより、メタン発酵処理効率がさらに増大することがわかる。
　【００５６】
　上述したように、各種実験から、ＣＯＤやＢＯＤ、ＴＯＣ負荷などの処理負荷が低い場合でもＴＳ濃度が５％以上になると、有機酸の蓄積が多くなり、酸敗によりメタン発酵処理が低下することが認められた。これは、単に処理負荷が増大することにより、負荷に対応したメタン生成菌の活性が低減してメタン発酵処理が低下するのではなく、ＴＳ濃度の増大により、凝集・沈殿やスケールの形成などにより、メタン生成菌に必要な栄養塩類の不活性効果が増大して摂取できなくなり、メタン生成菌の活性が低下するためと考えられる。このため、ＴＳ濃度が５％以上となる場合に、鉄、コバルト、ニッケルを適量添加することにより、投入固形物濃度の高いメタン発酵に適した栄養塩バランスが確保されて安定したメタン発酵が着実に行われることがわかった。特に、処理温度が高い条件では栄養塩類の添加による処理効率の向上が顕著に認められた。
　【００５７】
　【発明の効果】
　請求項１記載の廃棄物処理方法によれば、有機性廃棄物を含有する廃棄物を破砕した破砕物を嫌気性生物にてメタン発酵処理する際に、破砕物中の全蒸発残留物が
７．５％以上で１８％以下
　【００５８】
　請求項２記載の廃棄物処理方法によれば、有機性汚水を嫌気性生物にてメタン発酵処理する際に、固形状の有機性廃棄物を含有する廃棄物を破砕攪拌混合して混合物を調製し、この混合物の全蒸発残留物が
７．５％以上で１８％以下
　【００５９】
　請求項３記載の廃棄物処理方法によれば、請求項１または２記載の廃棄物処理方法の効果に加え、廃棄物をメタン発酵処理するに際して固液分離した屎尿系汚水の固形分を混合するため、屎尿系汚水の固形分から窒素分およびリン分を補給でき、嫌気性微生物の活性が向上して、メタン発酵の効率を向上できる。
【図面の簡単な説明】
　【図１】
　本発明の廃棄物処理方法の実施の一形態の構成を示すブロック図である。
　【図２】
　本発明の廃棄物処理方法の他の実施の形態の構成を示すブロック図である。
　【図３】
　同上図１に示す処理工程において合成ゴミを用いてメタン発酵処理した実験の結果を示すタイミングチャートである。
　【図４】
　同上図１に示す処理工程において合成ゴミを用いて投入ＴＳ濃度を可変してＣＯＤＣｒ負荷を一定にし中温域の条件でメタン発酵処理した実験の結果を示すタイミングチャートである。
　【図５】
　同上図１に示す処理工程において合成ゴミを用いて投入ＴＳ濃度を可変してＣＯＤＣｒ負荷を一定にし高温域の条件でメタン発酵処理した実験の結果を示すタイミングチャートである。
　【図６】
　同上図２に示す処理工程において合成ゴミを用いて投入ＴＳ濃度を可変してＣＯＤＣｒ負荷を一定にし高温域の条件でメタン発酵処理した実験の結果を示すタイミングチャートである。
　【図７】
　同上図１に示す処理工程において添加する栄養塩類の種類によるメタン発酵処理状況を示すグラフである。
　【図８】
　同上図１に示す処理工程において添加する栄養塩類の種類による異なる温度でのメタン発酵処理状況を示すグラフである。
　【符号の説明】
　１　　前処理手段
　３　　栄養塩類添加手段
　４　　メタン発酵手段としてのメタン発酵消化槽